【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
被処理水にオゾンガス、および過酸化水素溶液を注入して酸化処理を行う促進酸化処理方法において、オゾンガスと被処理水を接触・混合せしめるオゾン接触工程と、その工程の次にオゾンガスおよび過酸化水素を混合・注入する促進酸化処理工程を配する構成とし、前記オゾン接触工程における溶存オゾン濃度値を検出し、該検出した溶存オゾン濃度値に基づき前記オゾン接触工程へのオゾン注入量を制御し、該オゾン注入量に応じて、該促進酸化処理工程でのオゾン注入量、および過酸化水素注入量を制御することを特徴とする促進酸化処理方法。
【請求項２】
前記オゾン接触工程としてオゾンガスと被処理水を接触させるオゾン接触槽内、または前記オゾン接触工程から流出された処理水の溶存オゾン濃度を、前記オゾン接触工程における溶存オゾン濃度値として測定し、前記溶存オゾン濃度の測定値が、あらかじめ決めた所定の値となるように、前記オゾン接触工程でのオゾン注入量を制御することを特徴とする請求項１記載の促進酸化処理方法。
【請求項３】
前記促進酸化処理工程におけるオゾンガス注入量に応じて、予め設定した所定の注入比率になるように、過酸化水素注入量を決定することを特徴とする請求項１または２記載の促進酸化処理方法。
【手続補正２】
【補正対象書類名】明細書
【補正対象項目名】０００５
【補正方法】変更
【補正の内容】
【０００５】
また、特許文献３には、被処理水の汚染物質の変動が生じたときでも高い処理効果を発揮できるようなオゾンと過酸化水素の注入量の制御方法が開示されており、そのオゾン注入量の制御方法はあらかじめ被処理水についてオゾン添加量と被処理水中の溶存オゾン濃度との一次式、および、溶存オゾン濃度と測定値との差と、溶存オゾン濃度の目標値との一次式を制御式として確立しておき、実際に被処理水を処理する操作において、被処理水へのオゾン注入量と溶存オゾン濃度の測定値からオゾン注入量を制御する方法であり、過酸化水素注入量の制御方法はあらかじめ被処理水について過酸化水素添加量と溶存オゾン濃度との制御式を確立し、実際に被処理水を処理する操作において、被処理水の溶存オゾン濃度の測定値から過酸化水素注入量を制御する方法である。この制御方法はそれなりの効果を有するが、オゾン接触工程と促進酸化処理工程を分けて制御するという技術的な考えがなく、しかも上述したようにオゾンと過酸化水素とが共存するときには、オゾンの分解が促進され、場合によっては溶存オゾンが残留しなくなることが生じるから、溶存オゾン濃度に基づく制御法では十分な制御をすることができないという不安が常に残るという不都合さがある。
【手続補正３】
【補正対象書類名】明細書
【補正対象項目名】０００９
【補正方法】変更
【補正の内容】
【０００９】
本発明者等は、上記課題を解決するための一連の研究を通じて、オゾンガスと被処理水を接触させるオゾン接触槽の後段に、オゾンガスおよび過酸化水素を混合・注入する促進酸化処理槽を直列に配し、オゾン接触槽におけるオゾン注入量に応じて、後段の促進酸化処理槽へのオゾン注入量、および過酸化水素注入量を制御すると、経済的、かつ効率的なオゾン注入制御方法、および過酸化水素注入方法となることを見出した。
【手続補正４】
【補正対象書類名】明細書
【補正対象項目名】００１０
【補正方法】変更
【補正の内容】
【００１０】
すなわち、請求項１に係る発明は、被処理水にオゾンガス、および過酸化水素溶液を注入して酸化処理を行う促進酸化処理方法において、オゾンガスと被処理水を接触・混合せしめるオゾン接触工程と、その工程の次にオゾンガスおよび過酸化水素を混合・注入する促進酸化処理工程を配する構成とし、前記オゾン接触工程における溶存オゾン濃度値を検出し、該検出した溶存オゾン濃度値に基づき前記オゾン接触工程へのオゾン注入量を制御し、該オゾン注入量に応じて、該促進酸化処理工程でのオゾン注入量、および過酸化水素注入量を制御することを特徴とする。また、請求項２に係る発明は、請求項１の発明において、前記オゾン接触工程としてオゾンガスと被処理水を接触させるオゾン接触槽内、または前記オゾン接触工程から流出された処理水の溶存オゾン濃度を、前記オゾン接触工程における溶存オゾン濃度値として測定し、前記溶存オゾン濃度の測定値が、あらかじめ決めた所定の値となるように、前記オゾン接触工程でのオゾン注入量を制御することを特徴とする。さらに、請求項３に係る発明は、請求項１または２の発明において、前記促進酸化処理工程におけるオゾンガス注入量に応じて、予め設定した所定の注入比率になるように、過酸化水素注入量を決定することを特徴とする。
【手続補正５】
【補正対象書類名】明細書
【補正対象項目名】００１１
【補正方法】変更
【補正の内容】
【００１１】
本発明の促進酸化処理法によれば、従来制御が困難であった促進酸化処理において、最適なオゾン注入制御および過酸化水素注入制御が可能な促進酸化処理法を提供することができ、しかも溶存オゾンがなくなり制御できなくなるという不安も解消される。この方法により原水の水質変動に対しても応答性が高く、しかもあらかじめオゾン単独処理を行うことで、後段の促進酸化処理工程における水質負荷を低減し、効率的に促進酸化処理を行うことを可能にした。また、本発明の促進酸化処理法は制御方法が簡単であり、過不足なくオゾンや過酸化水素導入でき無駄をなくすなどランニングコスト低減することができたうえに、臭素酸イオンなどオゾン酸化副産物の生成を防ぎ、さらには本発明の促進酸化処理槽の後段に設置されるであろう生物活性炭の生物活性への悪影響などによりもたらされる処理水質の悪化なども回避できる。
【手続補正６】
【補正対象書類名】明細書
【補正対象項目名】００１３
【補正方法】変更
【補正の内容】
【００１３】
オゾン発生装置により発生されたオゾンはオゾン接触槽内に注入される。このオゾン接触は槽通常使用される一般的なオゾン接触槽内であればよい。オゾン接触槽内では、注入されたオゾンは、一部が原水中の有機成分と反応し、他のオゾンは原水中に溶け込み、それ以外のオゾンは排ガスとしてオゾン接触槽外に排出される。この排出されるオゾンはできるだけ少ないことが望ましく、未反応のオゾンはできるだけ原水内に溶け込むことが望まれる。そのために、オゾンの接触槽内への注入管の選択、オゾン散気装置の選択、注入速度などのオゾンの注入方法を細かく検討すると共に、原水に導入されるオゾンガスの原水内での気泡の大きさをできるだけ細かくする手法、オゾンが原水とできるだけ接触する機会をつくるような攪拌方法などを採用する。なお、オゾンガスと被処理水を接触・混合するとは、被処理水にオゾンガスを接触させ、混合させることをいう。
本発明では、最適なオゾン注入量は、オゾン接触槽内の溶存（残留）オゾン濃度あるいはオゾン接触槽から流出される処理水の溶存（残留）オゾン濃度を検出し、検出された濃度が制御装置内に送られ、そこで検出されたオゾン濃度に基づいて最適なオゾン注入量が決定され、その注入量に基づきオゾン接触槽内にオゾンが注入される。このフィードバック制御方法はすでに知られている方法を採用すればよい.
【手続補正７】
【補正対象書類名】明細書
【補正対象項目名】００１５
【補正方法】変更
【補正の内容】
【００１５】
この促進酸化処理槽は通常使用される一般的な処理槽を使用すればよい。この促進酸化処理槽に混合・注入されるオゾンガスおよび過酸化水素は通常使用されるオゾンガス発生装置および過酸化水素発生装置から得られるものを使用できる。ここで注入されるオゾンガスおよび過酸化水素の量は、前段での溶存オゾン濃度および前段でのオゾン注入量に基づき制御することが本発明の特徴の一つである。過酸化水素の必要量は溶存オゾン濃度に大きく影響されるのであるから、オゾン接触槽から促進酸化処理槽内に導入される処理原水内の溶存オゾン濃度を明確に知り、その濃度に基づき促進酸化処理槽内に注入されるオゾンガスおよび過酸化水素量を制御することは有効である。
溶存オゾン量の検出法は特に制限されないが、オゾン接触槽の処理水出口、あるいはオゾン接触槽から流出される処理水通路に一般的な検出手段を配置し、原水内の溶存オゾン濃度を検出することが好ましい方法である。
【手続補正８】
【補正対象書類名】明細書
【補正対象項目名】００１７
【補正方法】変更
【補正の内容】
【００１７】
（作用）
本発明による促進酸化処理方法によれば、前段のオゾン接触工程内へのオゾンの注入量は従来と同様の溶存オゾンフィードバック制御装置を基にすると共に、後段の促進酸化処理工程内でのオゾン注入量および過酸化水素注入量は上記オゾン注入量に応じて決められるのであり、最適なオゾン注入制御、および過酸化水素注入制御が可能となる。